(57)【要約】【課題】非常に少ない土壌の量でも蔓植物を栽培できる蔓植物栽培用容器を実現し、壁面から５００ｍｍまでの狭い空間を利用して、蔓植物を栽培し、壁面を緑化する。【解決手段】奥行きの外寸が１００乃至５００ｍｍであり、幅および高さの外寸がそれぞれ奥行きの外寸の１．５乃至１０倍であり、正面、背面、底面、上面および二つの側面からなる略直方体の形状を有する連結式蔓植物栽培用容器において、容器の底から２０乃至１００ｍｍの高さで容器内部の空間が水透過性の材料により上部を土壌充填用空間、そして下部を貯水用空間として仕切り、容器の底から２０乃至１００ｍｍの高さの位置のいずれかの面に溢流孔を設け、少なくとも一方の側面にその面積の１０乃至９０％の大きさを有する連結用開口が設け、上面にその面積の５５％以上の大きさを有する栽培用開口が設け、そして土壌充填用空間の背面内側の面積の５５％以上を吸水性シートで覆う。【選択図】図３
2008125458.tif 000002
【特許請求の範囲】
【請求項１】
奥行きの外寸が１００乃至５００ｍｍであり、幅および高さの外寸がそれぞれ奥行きの外寸の１．５乃至１０倍であり、正面、背面、底面、上面および二つの側面からなる略直方体の形状を有する連結式蔓植物栽培用容器であって、容器の底から２０乃至１００ｍｍの高さで容器内部の空間が水透過性の材料により上部が土壌充填用空間、そして下部が貯水用空間として仕切られており、容器の底から２０乃至１００ｍｍの高さの位置のいずれかの面に溢流孔が設けられており、少なくとも一方の側面にその面積の１０乃至９０％の大きさを有する連結用開口が設けられており、上面にその面積の５５％以上の大きさを有する栽培用開口が設けられており、そして、土壌充填用空間の背面内側の面積の５５％以上が吸水性シートで覆われていることを特徴とする連結式蔓植物栽培用容器。
【請求項２】
吸水性シートが、温度の上昇に伴って水を放出する感温性吸排水性樹脂を含む請求項１に記載の連結式蔓植物栽培用容器。
【請求項３】
土壌が露出してない地表に接している屋外の壁面において蔓植物を栽培する方法であって、請求項１が定義している連結式蔓植物栽培用容器を側面で複数連結し、容器の背面を壁面に密着させ、容器内の土壌充填用空間に土壌を充填し、土壌の上で蔓植物を栽培し、栽培用開口から蔓植物を壁面に沿って成長させる蔓植物の栽培方法。
【発明の詳細な説明】
【技術分野】
【０００１】
本発明は、連結式蔓植物栽培用容器およびそれを用いる蔓植物の栽培方法に関する。特に本発明は、土壌が露出してない地表に面している壁面において蔓植物を栽培する場合に適した容器と栽培方法に関する。
【背景技術】
【０００２】
都市のヒートアイランド現象を緩和し、市街地の景観を改善する目的で、土木構造物および建築物の屋上や壁面のような場所でも植物の栽培が試みられている。土木構造物や建築物のような人工的な地盤の上での植物の栽培には、従来とは異なる栽培技術が必要である。
土壌が露出してない地表に面している壁面は、植物の栽培が非常に難しい場所である。壁面を緑化するための植物としては、蔓植物が適している。しかし、蔓植物を栽培するための土壌の確保が問題である。
【０００３】
特許文献１は、下部貯水槽の上に、登攀性の蔓性植物と土壌を不織布で包み、上面を固定網で被覆したポットを重層した建物壁面緑化ユニットを開示している。ポットには蔓性植物の登攀補助材を設ける。建物壁面緑化ユニットは、建物壁面に着脱自在に架けることができる。
特許文献２は、構造物の外側壁の外側に外側壁と一体に構成する蔓性植物用のポットを開示している。構造物の外側壁には蔓性植物の登攀補助材を設け、ポットの最下層には貯水槽を設ける。貯水槽下部のメッシュ底板の上に土壌流出防止兼保水材が敷設されている。そして、土壌流出防止兼保水材の上に蔓性植物苗と土壌が入れられ、土壌の上面にはメッシュ固定板が配置されている。
【０００４】
特許文献３は、垂直壁面緑化用ポーラスコンクリートブロックを開示している。ポーラスコンクリートブロックは、骨材の表面を接着させて骨材間に連続する空隙を生じさせた硬化体である。上記空隙に保水材を充填する。そして、ポーラスコンクリートブロックを地中に打ち込まれた鋼矢板壁面に密着して取り付けることによって、鋼矢板壁面上で植物の生育を可能にする。ポーラスコンクリートブロックを取り付けた状態で、水平面部を植生用の根鉢を設けた形状にする。
特許文献４は、一側面に開口を有する土壌容器となる壁面緑化用植生コンテナを開示している。コンテナ内周面は、透水性不織布からなる吸水・保水シートで覆われている。導水体が、容器の開口を通して外部の給水システムからの水分を不織布に導く。さらに通気筒と苗を植え込む開口を設けたコンテナ上蓋とを有している。コンテナは、ガイドレール状のフレームで支持して、壁面に取り付ける。
【０００５】
【特許文献１】特開平５−３２８８５７号公報
【特許文献２】特開平５−３３１８６９号公報
【特許文献３】特開２００１−２９５２４２号公報
【特許文献４】特開２００４−１７３５６４号公報
【発明の開示】
【発明が解決しようとする課題】
【０００６】
特許文献１および４に記載の容器（ポットやコンテナ）は、壁面に取り付けて使用するように設計されている。従って、容器の大きさ（すなわち、容器内に収容できる土壌の量）は、壁面に取り付けられる重量の制限のために制約されている。壁面に取り付けられる容器内の土壌の量では、大きな植物を栽培することは難しい。従って、壁面全体を緑化するためには、多数の容器を壁面に取り付ける必要がある。引用文献１および４に記載の発明では、いずれも、多数の容器を壁面に取り付けるように設計している。
【０００７】
特許文献２および３に記載の発明では、土壌を入れる容器が壁面の構造物に組み込まれるように、構造物を設計している。すなわち、引用文献２および３に記載の発明を実施するためには、壁面の構造物を設計する段階から準備する必要がある。従って、引用文献２および３に記載の発明を、既製の構造物に対して実施することは困難である。また、土壌を入れる容器を壁面の構造物と共に設計すると、周辺環境その他の状況の変化に対応することも難しくなる。
【０００８】
土壌が露出してない地表に面している壁面において蔓植物を栽培する場合、土壌の確保が問題である。土壌がない場所では、土壌を入れる容器を設置して、蔓植物を栽培する必要がある。
壁面に接している場所において、土壌を入れる容器を設置する空間を充分に確保することは難しい。土壌を入れる容器の奥行き（容器の正面から壁面までの距離）は、最大でも５００ｍｍ程度であることが要求される場合が多い。そのため、容器に入れることができる土壌の量は、大幅に制約される。
植物の栽培において、土壌には水を含めた各種養分を確保する機能や根が伸長するための空間としての機能がある。また、土壌の量が少ないと、植物の根が環境の変化による影響を受けやすくなる。
特許文献１〜４には、土壌が少ないとの問題およびその解決策については、ほとんど述べられていない。
【０００９】
本発明の目的は、非常に少ない土壌の量でも、蔓植物を栽培できる蔓植物栽培用容器を提供することである。
また、本発明の目的は、屋外の壁面から５００ｍｍまでの狭い空間を利用して、蔓植物を栽培し、壁面を緑化する方法を提供することでもある。
【００１０】
本発明は、奥行きの外寸が１００乃至５００ｍｍであり、幅および高さの外寸がそれぞれ奥行きの外寸の１．５乃至１０倍であり、正面、背面、底面、上面および二つの側面からなる略直方体の形状を有する連結式蔓植物栽培用容器であって、容器の底から２０乃至１００ｍｍの高さで容器内部の空間が水透過性の材料により上部が土壌充填用空間、そして下部が貯水用空間として仕切られており、容器の底から２０乃至１００ｍｍの高さの位置のいずれかの面に溢流孔が設けられており、少なくとも一方の側面にその面積の１０乃至９０％の大きさを有する連結用開口が設けられており、上面にその面積の５５％以上の大きさを有する栽培用開口が設けられており、そして土壌充填用空間の背面内側の面積の５５％以上が吸水性シートで覆われていることを特徴とする連結式蔓植物栽培用容器を提供する。
【００１１】
吸水性シートは、温度の上昇に伴って水を放出する感温性吸排水性樹脂を含むことが好ましい。
また、本発明は、土壌が露出してない地表に接している屋外の壁面において蔓植物を栽培する方法であって、上記連結式蔓植物栽培用容器を側面で複数連結し、容器の背面を壁面に密着させ、容器内の土壌充填用空間に土壌を充填し、土壌の上で蔓植物を栽培し、栽培用開口から蔓植物を壁面に沿って成長させる蔓植物の栽培方法も提供する。
【００１２】
なお、上記「略直方体の形状」とは、容器を入れることができる最小の体積の直方体に対して、容器の体積が７０％以上（好ましくは８０％以上、さらに好ましくは９０％以上、最も好ましくは９５％以上）あることを意味する。
土壌充填用空間の背面以外の面も吸水性シートで覆ってもよいが、背面を優先して（重点的に）吸水性シートで覆うことが好ましい。容器内で使用する吸収性シートの面積当たり５０％以上（より好ましくは７０％以上、さらに好ましくは８０％以上、最も好ましくは９０％以上）を、背面を覆うために使用することが好ましい。
【発明の効果】
【００１３】
土壌の絶対量が不足する環境で植物を栽培する場合における最大の問題は、土壌の保水機能が不足する問題である。本発明者の研究によると、保水機能が不足する問題を、容器下部を貯水用空間として利用することに加えて、容器上部の土壌充填用空間の背面内側を吸水性シートで覆うことにより解決することができる。
壁面では、壁面に沿って流れる雨水の量が非常に多い。本発明に従う栽培用容器を壁面に密着させると、上面の大きな栽培用開口から壁面を流れる雨水を容器内に誘導できる。そして、容器の背面内側を覆う吸水性シートによって余分な水を吸収し、土壌の保水量の不足を補う。壁面での植物栽培では容器の容量に制限があるため、本発明では吸水性シートを最も有効に利用できる（壁面を流れる雨水を最も有効に吸収できる）容器の背面内側を優先して利用する。
本発明の容器を利用すると、環境にもよるが、水やりを行わず自然の雨水を利用して蔓植物を栽培することも可能になる。
【００１４】
以上のように保水機能が不足する問題を解決しても、土壌には保水機能以外に、水以外の養分を確保する機能や根が伸長するための空間としての機能がある。また、土壌の量が少ないと、植物の根が環境の変化による影響を受けやすくなる。
本発明では、容器を連結し、連結部（連結するための側面）に大きな開口を設けているため、容器毎に栽培する蔓植物が土壌を共有できる。保水機能以外の土壌の機能が不足する問題は、蔓植物が土壌を共有することにより、解決することができる。
【００１５】
なお、壁面での作業は、作業空間が狭く、また高所での作業が必要になる場合がある。本発明の蔓植物栽培用容器は、連結式であるため、容器の搬送や現場（壁面）での設置および栽培の作業が容易であるとの利点がある。また、壁面が若干屈曲していても、連結部分で容器の向きを変えることにより、壁面の形状に対応させることができる。
【発明を実施するための最良の形態】
【００１６】
図１は、本発明に従う蔓植物栽培用容器の正面図（Ｆ）および側面図（Ｓｉ）である。
図１に示す容器（１）は、奥行きの外寸（ｄ）が３００ｍｍ、幅の外寸（ｗ）が１０００ｍｍ、そして高さの外寸（ｈ）が９００ｍｍである。
本発明に従う容器は、奥行きの外寸（ｄ）が１００乃至５００ｍｍである。奥行きの外寸（ｄ）は、１５０乃至４５０ｍｍであることが好ましく、２００乃至４００ｍｍであることがさらに好ましく、２５０乃至３５０ｍｍであることが最も好ましい。
本発明に従う容器は、幅の外寸（ｗ）および高さの外寸（ｈ）がそれぞれ奥行きの外寸（ｄ）の１．５乃至１０倍である。、幅の外寸（ｗ）および高さの外寸（ｈ）は、奥行きの外寸（ｄ）の１．７乃至８倍であることが好ましく、２乃至６倍であることがさらに好ましく、２．５倍乃至５倍であることが最も好ましい。
【００１７】
図１に示す容器（１）の正面には、開口は設けられていない。
図１に示す容器（１）の側面には、隣接する容器と土壌を共有するための連結用開口（１１）が設けられている。図１に示す容器の連結用開口（１１）は、幅（ｗ１）が１５０ｍｍ、そして高さ（ｈ１）が５５０ｍｍである。図１に示す容器の連結用開口（１１）の大きさ（１５０ｍｍ×５５０ｍｍ）は、側面の面積（３００ｍｍ×９００ｍｍ）の３０．６％である。
本発明に従う容器は、少なくとも一方の側面にその面積の１０乃至９０％の大きさを有する連結用開口が設けられている。連結用開口の大きさは、側面の面積の１５乃至８０％であることが好ましく、２０乃至６０％であることがさらに好ましく、２５乃至４０％であることが最も好ましい。
【００１８】
図１に示す容器の容器上端から連結用開口（１１）の上端までの距離（ｄ１）は１００ｍｍである。従って、図１に示す容器の容器上端から連結用開口（１１）の下端までの距離（ｄ２）は６５０ｍｍになる。
本発明に従う容器の容器上端から連結用開口（１１）の上端までの距離（ｄ１）は、１０乃至３００ｍｍであることが好ましく、２０乃至２００ｍｍであることがさらに好ましく、５０乃至１５０ｍｍであることが最も好ましい。
【００１９】
図１に示す連結用開口（１１）の周囲には、厚さ３ｍｍ、幅３０ｍｍのゴムパッキン（１２）が取り付け（接着剤により貼り付け）られている。
本発明に従う容器の連結用開口（１１）の周囲にゴムパッキンを取り付ける場合、ゴムパッキンの厚さは、１乃至７ｍｍであることが好ましく、１．５乃至５ｍｍであることがさらに好ましく、２乃至４ｍｍであることが最も好ましい。ゴムパッキンの幅は、１０乃至７０ｍｍであることが好ましく、１５乃至５０ｍｍであることがさらに好ましく、２０乃至４０ｍｍであることが最も好ましい。
【００２０】
図１に示す連結用開口（１１）のゴムパッキン（１２）の周囲には、容器を連結するためのボルトを取り付けるための開口であるボルト用開口（１３）が６箇所設けられている。図１に示すボルト用開口（１３）は、直径が８ｍｍ、長さが２５ｍｍのボルトを取り付けることを前提に、直径が９ｍｍになるように設計されている。
本発明に従う容器の側面にボルト用開口（１３）を設ける場合、開口の数は２乃至１２であることが好ましく、３乃至１０であることがさらに好ましく、４乃至８であることが最も好ましい。ボルトの直径は、４乃至１６ｍｍであることが好ましく、５乃至１４ｍｍｍであることがさらに好ましく、６乃至１２ｍｍであることが最も好ましい。ボルトの長さは、１０乃至５０ｍｍであることが好ましく、１５乃至４０ｍｍであることがさらに好ましく、２０乃至３０ｍｍであることが最も好ましい。
【００２１】
容器の連結は、図１に示すボルト用開口を利用するボルトとナットとの組み合わせに代えて、または加えて他の連結手段（例、シャコ万力）を用いてもよい。
本発明では、２個以上の容器を連結して使用する。連結して使用する容器の数は、２個乃至２０個であることが好ましく、３個乃至１０個であることがさらに好ましい。２個の容器を連結する場合、一方の側面のみに連結用開口が設けられている容器を２個準備すればよい。３個以上の容器を連結する場合、中間の容器は、両側面に連結用開口を設ける。
【００２２】
図２は、本発明に従う蔓植物栽培用容器の上面図（Ｔ）および断面図（Ｓｅ）である。断面図は、内側から背面を見た状態を示す。
図２に示す容器（１）は、図１に示す容器（１）と同じ容器であり、奥行き（ｄ）が３００ｍｍ、幅（ｗ）が１０００ｍｍ、そして高さ（ｈ）が９００ｍｍである。
図２に示す容器（１）は、厚さ（ｔ）が５ｍｍの樹脂板により構成されている。
本発明に従う容器を構成する板の厚さは、０．５乃至２０ｍｍであることが好ましく、１乃至１５ｍｍであることがさらに好ましく、２乃至１０ｍｍであることが最も好ましい。
【００２３】
図２に示す容器（１）の上面には、大きな栽培用開口が設けられている。図２に示す容器（１）の場合、上面から容器を構成する板の厚さを除いた部分が全て栽培用開口として機能する。図２に示す栽培用開口の大きさは、幅が９５０ｍｍ、奥行きが２５０ｍｍであって、上面の面積（１０００ｍｍ×３００ｍｍ）の７９％に相当する。
本発明に従う容器では、上面にその面積の５５％以上の大きさを有する栽培用開口を設ける。栽培用開口は、上面の面積の６０％以上であることが好ましく、６５％以上であることがさらに好ましく、７０％以上であることが最も好ましい。
【００２４】
図２に示す容器（１）の背面と正面の内側には、二種類の補強板（２１、２２）が取り付けられている。側面に近い位置に取り付ける４枚の補強板（２１）は、厚さが２ｍｍ、幅が１００ｍｍ、高さが８００ｍｍである（正面または背面の面積の８．９％）。背面と正面の中央部に取り付ける４枚の補強板（２２）は、厚さが５ｍｍ、幅が２００ｍｍ、高さが８００ｍｍ（正面または背面の面積の１７．８％）である。
本発明に従う容器の内側に補強板を取り付ける場合、補強板の厚さは、０．２乃至１５ｍｍであることが好ましく、０．５乃至１０ｍｍであることがさらに好ましく、１乃至７ｍｍであることが最も好ましい。
本発明に従う容器の内側に補強板を取り付ける場合、補強板の大きさは、背面または正面の面積の３〜１００％であることが好ましく、５〜７０％であることがさらに好ましく、７〜５０％であることが最も好ましい。側面にも補強板を取り付けてもよい。
【００２５】
図２に示す容器（１）は、容器の底から６０ｍｍの高さ（ｈ２）でネット（２３）により仕切られている。ネット（２３）より上部が土壌充填用空間であり、下部が貯水用空間である。
本発明に従う容器は、容器の底から２０乃至１００ｍｍの高さで容器内部の空間が水透過性の材料（例、ネット）により上部が土壌充填用空間、そして下部が貯水用空間として仕切られている。仕切りの高さは、３０乃至９０ｍｍが好ましく、４０乃至８０ｍｍがさらに好ましく、５０乃至７０ｍｍが最も好ましい。
【００２６】
図２に示す容器（１）は、１０個のブロック（２４）を用いてネット（２３）を支えている。ブロックの数は、４乃至２０であることが好ましく、６乃至１５であることがさらに好ましく、８乃至１２であることが最も好ましい。
図２に示すブロック（２４）の大きさは、縦が１００ｍｍ、幅が４０ｍｍ、高さが６０ｍｍである。ブロックの高さは、上部を土壌充填用空間、下部を貯水用空間として仕切る高さに相当する。
本発明に従う容器において、ブロック（２４）を用いて水透過性の材料を用いて支える場合、ブロックの縦および幅の寸法は、１０乃至４００ｍｍであることが好ましく、１５乃至３００ｍｍであることがさらに好ましく、２０乃至２００ｍｍであることが最も好ましい。ブロック（２４）としては、プラスチック発泡体のブロックが用いられる。
【００２７】
図２に示す容器（１）は、背面に二つの溢流孔（２５）が設けられている。図２に示す溢流孔（２５）の位置は、容器の底から７０ｍｍである。図２に示す溢流孔（２５）の直径は、２２ｍｍである。
本発明に従う容器は、容器の底から２０乃至１００ｍｍの高さの位置のいずれかの面に溢流孔が設けられている。溢流孔は、側面または背面に設けることが好ましく、背面に設けることがさらに好ましい。溢流孔の位置は、容器の底から３０乃至９０ｍｍが好ましく、４０乃至８０ｍｍがさらに好ましく、５０乃至７５ｍｍが最も好ましい。
溢流孔の直径は、１０乃至４０ｍｍであることが好ましく、１５乃至３０ｍｍであることがさらに好ましく、２０乃至２５ｍｍであることが最も好ましい。
溢流孔の数について、特に制限はない。
【００２８】
図２に示す容器（１）は、貯水用空間に二つの吸水用パイプ（２６）が設けられている。吸水用パイプは、貯水用空間に貯まった水を、土壌充填用空間の土壌に補給する機能を有する。図２に示す吸水用パイプ（２６）の直径は、５０ｍｍである。吸水用パイプ（２６）の高さは、仕切りの高さ（図２では６０ｍｍ）と同じである。
吸水用パイプの直径は、２０乃至１５０ｍｍであることが好ましく、２５乃至１００ｍｍであることがさらに好ましく、３０乃至７０ｍｍであることが最も好ましい。
吸水用パイプの内部には、吸水性材料を充填することが好ましい。吸水性材料としては、繊維（例、ガラス繊維）が好ましく用いられる。吸水用パイプの数について、特に制限はない。
【００２９】
図２に示す容器（１）は、土壌充填用空間の背面内側が全て吸水性シート（２７）で覆われている。図２に示す吸水性シート（２７）の厚さは、２０ｍｍである。
本発明に従う容器は、土壌充填用空間の背面内側の面積の５５％以上が吸水性シートで覆われている。土壌充填用空間の背面内側の面積のうち、吸水性シートで覆う部分は、７０％以上であることが好ましく、８０％以上であることがさらに好ましく、９０％以上であることが最も好ましい。
吸水性シートの厚さは、５乃至５０ｍｍであることが好ましく、１０乃至４０ｍｍであることがさらに好ましく、１５乃至３０ｍｍであることが最も好ましい。
【００３０】
図３は、護岸に本発明に従う蔓植物栽培用容器を設置し、蔓植物を栽培している状態を示す断面図である。
図３に示す容器（１）は、寸法を含め図１および図２で説明した容器と同じである。容器（１）の背面と正面の内側には、補強板（２２）が取り付けられている。容器（１）は、容器の底から一定の高さでネット（２３）により仕切られている。ネット（２３）は、ブロック（２４）を用いて支える。容器（１）は、土壌充填用空間の背面内側が全て吸水性シート（２７）で覆われている。
【００３１】
蔓植物の栽培においては、容器（１）の背面を護岸（３１）の壁面に密着させる。地表面は、必要に応じて、ブロック（３２）を用いて高さを調節する。ブロック（３２）としては、コンクリートブロックが用いられる。ブロック（３２）の上に支持板（３３）が水平になるように配置し、その上に容器（１）を載せる。容器の土壌充填用空間の底には、土壌改良用の粒状資材（３４）を入れる。土壌改良用の粒状資材の例としては、黒曜石パーライトを挙げることができる。
土壌改良用の粒状資材（３４）の上には、土壌（３５）を入れる。土壌は、水持ちが良く、かつ排水性に優れていることが望ましい。一般に蔓植物の栽培に用いられている培養土を使用すればよい。必要に応じて、複数の培養土（例、黒土、パーライト、ピートモス）を混合して用いてもよい。土壌の上部には粒状緩効性肥料、下部には成型固形肥料を用いることが好ましい。肥料の使用量は、上部および下部ともに、０．５〜１５ｋｇ／ｍ３であることが好ましく、１〜１０ｋｇ／ｍ３であることがさらに好ましく、２〜６ｋｇ／ｍ３であることが最も好ましい。
容器は、接着剤（３６）により、護岸（３１）の壁面に接着する。そして、培養土（３５）で蔓植物（３７）を培養する。容器の上面は、マルチング資材（３８）で覆う。護岸（３１）の壁面は、蔓植物（３７）の登攀用ネット（３９）で覆う。登攀用ネット（３９）としては、ジュート繊維からなる緑化用マットを用いることができる。
【００３２】
（容器の素材）
本発明に従う栽培用容器には、非常に高い強度が要求される。その要求を満足するため、強度が高い樹脂板で栽培用容器を構成することが好ましい。樹脂は、ポリエステル樹脂、フェノール樹脂、アミノ樹脂、シリコーン樹脂およびエポキシ樹脂が好ましく、ポリエステル樹脂、フェノール樹脂およびエポキシ樹脂がさらに好ましい。
強化剤を用いて樹脂をさらに強化することが好ましい。強化剤としては、一般に、不活性繊維状材料が用いられる。強化剤の例には、ガラス繊維、ジュート、サイザル麻、フロック、グラファイト、硼素繊維、炭素繊維、セラミック繊維、ホィスカーを含む。ガラス繊維が特に好ましい。
【００３３】
容器の素材としては、ガラス繊維強化プラスチック（ＦＲＰ）が特に好ましく用いられる。市販のＦＲＰを用いて容器を製造することができる。
樹脂の合板を用いて、容器を強化してもよい。ただし、本発明では容器の奥行きに制限がある（奥行きの外寸：１００〜５００ｍｍ）状況を想定しているため、あまり厚い板で容器を構成すると、容器に入れることができる土壌の量がさらに減少する。そのため、図２で説明したように、容器を構成する樹脂板のみで必要な強度を得るのではなく、補強板を用いて容器の強度を補強することが好ましい。補強板の材質は、容器を構成する樹脂板と同様である。
【００３４】
（吸水性シートの素材）
吸水性シートは、可能な限り高い吸水性を有することが好ましい。乾燥時の体積当たり６０％以上の吸水性を有することが好ましく、７０％以上の吸水性を有することがさらに好ましく、８０％以上の吸水性を有することが最も好ましい。シートの面積当たり保水量は、５Ｌ／ｍ２以上であることが好ましく、１０Ｌ／ｍ２以上であることがさらに好ましく、１５Ｌ／ｍ２以上であることが最も好ましい。
吸水性シートは、発泡プラスチックからなることが好ましい。プラスチックとしては、ポリウレタンおよびポリスチレンが好ましく、ポリウレタンが特に好ましい。
吸水性シートは、温度の上昇に伴って水を放出する感温性吸排水性樹脂を含むことが好ましい。感温性吸排水性樹脂は、植物栽培における土壌の水分調整材として市販されている。本発明では、感温性吸排水性樹脂を、水の利用において最も有効な壁面側に設置する吸水性シートにおいて利用することができる。
【００３５】
（蔓植物）
蔓植物は、他の物にまきついたり付着したりしながら伸びていく植物である。なるべく乾燥に強い蔓植物を栽培することが好ましい。
本発明の容器での栽培に適した蔓植物の例には、ナツヅタ（落葉）、オオイタビカズラ（常緑）、テイカカズラ（常緑）、ノウゼンカズラ（落葉）およびヘデラ・ヘリックス（常緑）が含まれる。複数の蔓植物を混植してもよい。落葉植物と常緑植物とを混植することが好ましい。蔓植物と他の植物とを混植することもできる。
【００３６】
以下に、３種類の蔓植物を栽培する場合の組み合わせ例を示す。
（１）ナツヅタ、オオイタビカズラ、テイカカズラ
ナツヅタが早期に成長し、オオイタビカズラ、テイカカズラが追って成長し、常緑壁面を作る。秋には、ナツヅタが紅葉する。
２〜３年程度で完成し、その後は年々緑が濃くなる。
（２）オオイタビカズラ、テイカカズラ、ノウゼンカズラ
テイカカズラ、オオイタビカズラの緑の壁面が作られ、夏期にはノウゼンカズラの花が咲く。
２〜３年程度で完成し、緑の中の美しい花が見られる。
【００３７】
（３）テイカカズラ、ノウゼンカズラ、ナツヅタ
テイカカズラの緑の壁面が作られ、夏期はノウゼンカズラの花、秋はナツヅタの紅葉が見られる。
２〜３年程度で完成し、紅葉と花が見られる。
（４）ノウゼンカズラ、ナツヅタ、ヘデラ・ヘリックス
ナツヅタが早期に成長し、ヘデラ・ヘリックスが追って成長する。２〜３年程度で成長し、濃い緑の中の美しい花が見られる。
蔓植物の栽培の間隔は、容器の幅方向において、１０〜５０ｃｍ間隔が好ましく、１５〜４０ｃｍ間隔がさらに好ましく、２０〜３０ｃｍ間隔が最も好ましい。
【実施例】
【００３８】
［実施例１］
図１および図２に示す容器を四個連結して、図３に示すように護岸（高さ：２６００ｍｍ）に設置した。中央の二個は、両側面に連結用開口を設けた容器を用い、両端の二個は一方の側面のみに連結用開口が設けた容器を用いた。
図３に示すように、土壌改良用の粒状資材として黒曜石パーライトを土壌充填用空間の底部に入れ、その上の土壌として、黒土：パーライト：ピートモス（容量比＝７：２：１）からなる混合土を入れた。土壌の上部には粒状緩効性肥料（グリーンマップ同等品）を４ｋｇ／ｍ３加え、下部には成型固形肥料（サンフォレスト同等品）を４ｋｇ／ｍ３加えた。
【００３９】
２５ｃｍ間隔で、ヘデラ・ヘリックス、テイカカズラおよびノウゼンカズラを混植した。
かん水は行わず、自然の雨水だけで蔓植物が生長し、護岸の壁面を緑化することができた。
【００４０】
［実施例２］
実施例１と同様に容器を用い、２５ｃｍ間隔で、テイカカズラ、ノウゼンカズラおよびナツヅタを混植した。
かん水は行わず、自然の雨水だけで蔓植物が生長し、護岸の壁面を緑化することができた。
【図面の簡単な説明】
【００４１】
【図１】蔓植物栽培用容器の正面図（Ｆ）および側面図（Ｓｉ）である。
【図２】蔓植物栽培用容器の上面図（Ｔ）および断面図（Ｓｅ）である。
【図３】護岸に蔓植物栽培用容器を設置し、蔓植物を栽培している状態を示す断面図である。
【符号の説明】
【００４２】
ｄ  容器の奥行きの外寸
ｗ  容器の幅の外寸
ｈ  容器の高さの外寸
ｗ１  連結用開口の幅
ｈ１  連結用開口の高さ
ｄ１  容器上端から連結用開口の上端までの距離
ｄ２  容器上端から連結用開口の下端までの距離
ｔ  樹脂板の厚さ
ｈ２  容器を仕切る高さ
１  蔓植物栽培用容器
１１  連結用開口
１２  ゴムパッキン
１３  ボルト用開口
２１、２２  補強板
２３  ネット
２４、３２  ブロック
２５  溢流孔
２６  吸水用パイプ
２７  吸水性シート
３１  護岸
３３  支持板
３４  土壌改良用粒状資材
３５  土壌
３６  接着剤
３７  蔓植物
３８  マルチング資材
３９  登攀用ネット
【図１】
2008125458.tif 000003
【図２】
2008125458.tif 000004
【図３】
2008125458.tif 000005